【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
送信元装置、送信先装置及び１以上の中継装置を備え、該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各送信ウインドウは異なる部分を占め、該複数のウインドウは、該送信期間における送信のために割当て可能であるマルチホップ無線通信システムにおいて用いられる送信方法において、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、該第１及び第２送信ウインドウは、利用可能な送信周波数帯域の共通する部分を含む、
ことを特徴とする送信方法。
【請求項２】
該第１及び第２送信ウインドウの周波数帯域は、各部分について、送信周波数帯域の実質的に全体にわたっている、
ことを特徴とする請求項１記載の送信方法。
【請求項３】
該第１送信信号はデータ又は制御情報を含む、
ことを特徴とする請求項１又は２に記載の送信方法。
【請求項４】
送信元装置、送信先装置及び１以上の中継装置を備え、該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各ウインドウは異なる部分を占め、該複数のウインドウは、該送信期間における送信のための割当て可能であるマルチホップ無線通信システムにおいて用いられる送信方法において、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、該第１送信信号は、送信導入シーケンスを含み、該送信導入シーケンスは、送信装置の識別情報であり、トレーニング情報を提供する、
ことを特徴とする送信方法。
【請求項５】
前記第２送信信号は、前記送信元装置から送信されることを特徴とする前記請求項１ないし４のいずれか１に記載の送信方法。
【請求項６】
送信元装置、送信先装置及び１以上の中継装置を備え、該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各ウインドウは異なる部分を占め、該複数のウインドウは、該送信期間における送信のための割当て可能であるマルチホップ無線通信システムにおいて用いられる送信方法において、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、
該送信方法は、更に、該第１装置によって、該特定の送信期間に先行して該第１送信ウインドウの割当てを要求することを含む、
ことを特徴とする送信方法。
【請求項７】
送信元装置、送信先装置及び１以上の中継装置を備え、該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各ウインドウは異なる部分を占め、該複数のウインドウは、該送信期間における送信のための割当て可能であるマルチホップ無線通信システムにおいて用いられる送信方法において、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、
該送信元装置は、該特定の送信期間に先行して該第１送信ウインドウを割り当てる、
ことを特徴とする送信方法。
【請求項８】
前記時間と周波数を用いたフォーマットは、時分割二重化通信システムにおける下りリンクサブフレーム又は上りリンクサブフレームのためのものである、
ことを特徴とする請求項１ないし７のいずれか１に記載の送信方法。
【請求項９】
前記マルチホップ無線通信システムは、ＯＦＤＭ又はＯＦＤＭＡシステムであり、前記時間と周波数を用いたフォーマットは、ＯＦＤＭ又はＯＦＤＭＡの時分割二重化通信システムにおけるＯＦＤＭ又はＯＦＤＭＡの下りリンクサブフレーム又は上りリンクサブフレームのためのものである、
ことを特徴とする請求項１ないし８のいずれか１に記載の送信方法。
【請求項１０】
前記送信期間は、サブフレーム期間である、
ことを特徴とする請求項１ないし９のいずれか１に記載の送信方法。
【請求項１１】
前記各送信ウインドウは、ＯＦＤＭ又はＯＦＤＭＡフレーム構造における領域を含む、
ことを特徴とする請求項１ないし１０のいずれか１に記載の送信方法。
【請求項１２】
前記送信元装置は、基地局である、
ことを特徴とする請求項１ないし１１のいずれか１に記載の送信方法。
【請求項１３】
前記送信元装置は、ユーザ装置である、
ことを特徴とする請求項１ないし１１のいずれか１に記載の送信方法。
【請求項１４】
前記送信先装置は、基地局である、
ことを特徴とする請求項１ないし１１のいずれか１に記載の送信方法。
【請求項１５】
前記送信先装置は、ユーザ装置である、
ことを特徴とする請求項１ないし１１のいずれか１に記載の送信方法。
【請求項１６】
送信元装置、送信先装置及び１以上の中継装置を備え、該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各送信ウインドウは異なる部分を占め、該複数のウインドウは、該送信期間における送信のために割当て可能であるマルチホップ無線通信システムであって、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、該第１及び第２送信ウインドウは、利用可能な送信周波数帯域の共通する部分を含む、
ことを特徴とするマルチホップ無線通信システム。
【請求項１７】
送信元装置、送信先装置及び１つ以上の中継装置を有するマルチホップ無線通信システムのコンピュータ装置で実行される一組のコンピュータプログラムであって、
該送信元装置は、該１以上の中継装置を介して該送信元装置から該送信先装置へ延びる通信パスを形成する一連のリンクにそった通信方向に情報を送信可能であり、該１以上の中継装置は、該パスにそって、前段の装置から情報を受信し、後段の装置に受信情報を送信可能であり、時間と周波数を用いたフォーマットを用いて送信期間において送信を行い、該送信期間において、複数の送信ウインドウが設けられ、各送信ウインドウは異なる部分を占め、該複数のウインドウは、該送信期間における送信のために割当て可能であり、当該コンピュータプログラムは、
該１以上の中継装置のうちの１つに対応する第１装置から、特定の送信期間における第１送信ウインドウにおいて第１送信信号を送信し、
該送信元装置又は該１以上の中継装置のうちの他の中継装置に対応する、第２装置から、該第１送信ウインドウでなく該特定の送信期間の第２送信ウインドウにおいて、第２送信信号を送信し、該第１装置と該第２装置は、重複する送信カバーエリアを持ち、該第１及び第２送信ウインドウは、利用可能な送信周波数帯域の共通する部分を含むようにした方法を前記コンピュータ装置に実行させるコンピュータプログラム。